(57)【特許請求の範囲】
【請求項１】
露光する画像データの画素に対応する光出射エレメントを主走査方向に配列して構成される露光ヘッドと、前記光出射エレメントの光出射光量を測定する測定手段と、その測定結果に基づいて各光出射エレメントの露光駆動条件を設定する動作条件設定手段とが設けられた画像露光装置であって、
前記測定手段は、
前記光出射エレメントの夫々についての前記光量分布を測定するときに、同時に光出射状態としても各光出射エレメントの光量分布の裾部分の測定が可能な程度に離間したものをまとめて１つのグループとして光出射エレメントを複数のグループに区分し、そのグループ単位で光出射状態と光出射停止状態とを順次切換えるように構成され、且つ、
測光ヘッドを前記光出射エレメントの配列方向に沿って移動させるように構成されると共に、前記グループ単位での光出射状態と光出射停止状態との切換えの切換え速度が、前記測光ヘッドが一つの光出射エレメントを通過する間に、前記グループの全てについての光出射状態と光出射停止状態との切換えが一巡するサイクルを多数回実行できる速度に設定されて構成されて、
前記光出射エレメントの夫々について、光出射方向と交差する面内における光量分布を、その光量分布の裾部分を含む状態で測定するように構成されている画像露光装置。
【請求項２】
前記測定手段による前記光出射エレメント夫々についての前記光量分布の測定結果に基づいて前記動作条件設定手段が前記各光出射エレメントの露光駆動条件を設定した後に、
前記測定手段は、設定測定位置での検出光量に寄与し得る全ての光出射エレメントを光出射状態として前記光出射エレメントの光出射光量を測定するように構成され、
前記動作条件設定手段は、その測定結果に基づいて各光出射エレメントの露光駆動条件を修正するように構成されている請求項１記載の画像露光装置。
【請求項３】
前記光出射エレメントは、ＰＬＺＴ素子による光シャッタを備えて構成されている請求項１又は２記載の画像露光装置。
【発明の詳細な説明】
【０００１】
【発明の属する技術分野】
本発明は、露光する画像データの画素に対応する光出射エレメントを主走査方向に配列して構成される露光ヘッドと、前記光出射エレメントの光出射光量を測定する測定手段と、その測定結果に基づいて各光出射エレメントの露光駆動条件を設定する動作条件設定手段とが設けられた画像露光装置に関する。
【０００２】
【従来の技術】
かかる画像露光装置は、露光形成する画像データに基づいて主走査方向に配列した光出射エレメントを個別に光出射駆動して、感光材料上に露光画像を形成するものである。
露光ヘッドの各光出射エレメントは同一の駆動入力に対して同一の光量の光を出射するのが理想的であるが、現実には、製造ばらつき等により各光出射エレメントに同一の駆動入力を付与しても出射する光量がばらつく。
このため、光出射エレメントからの光出射光量を測定し、その測定結果に基づいて各光出射エレメントの露光駆動条件を調整することが行われている。
この光出射エレメントの露光駆動条件の調整手法としては、従来、全ての光出射エレメントを光出射状態に設定し、光センサを光出射エレメントの配列方向に走査しながら光出射光量を測定して、その測定結果に基づいて光出射光量の分布が所望通りの分布（一般には均一な分布）となるように露光駆動条件を調整する手法がとられていた。
【０００３】
【発明が解決しようとする課題】
しかしながら、上記従来手法では、ある程度所望通りの分布に設定できるものの、どうしても調整しきれない調整目標からのばらつきが残ってしまい、例えば、均一濃度の画像データで露光ヘッドを露光作動させてプリントを作製すると、仕上がったプリントに濃度ムラや色ムラが発生する場合があった。
これは、光出射エレメントの出射光が隣接する光出射エレメントの露光エリアに漏れ出るという露光ヘッド自体の要因や、スリット等により光の入射範囲を規制した光センサにて測光する場合では、プリント解像度の向上のために光出射エレメントが微細化されたことで、スリット等による光センサへの光入射範囲の規制が十分ではないという測定上の要因等の種々の要因によって、ある光出射エレメントの光出射光量を測定するときに周囲の光出射エレメントの出射光が混入してしまい、各光出射エレメントの光出射光量を正確には測定できていなかったことが原因であることがわかった。
そこで、各光出射エレメントの光出射方向と交差する面内における光量分布のピーク位置においては周囲の光出射エレメントからの出射光の影響を受けないように、隣の光出射エレメントの光出射停止状態として、各光出射エレメントの前記ピーク位置付近の光出射光量の測定値をその光出射エレメントの光出射光量として測定することが考えられた。
ところが、このような測定手法によって光出射エレメントの光出射光量の調整目標からのばらつきが改善されるものの、依然として調整しきれないばらつきが残り、それが露光画像の画質に悪影響を及ぼしていることがわかった。
本発明は、かかる実情に鑑みてなされたものであって、その目的は、光出射エレメントの光出射光量の調整目標からのばらつきを可及的に抑制する点にある。
【０００４】
【課題を解決するための手段】
上記請求項１記載の構成を備えることにより、露光する画像データの画素に対応する光出射エレメントを主走査方向に配列して構成される露光ヘッドと、前記光出射エレメントの光出射光量を測定する測定手段と、その測定結果に基づいて各光出射エレメントの露光駆動条件を設定する動作条件設定手段とが設けられた画像露光装置において、前記測定手段は、前記光出射エレメントの夫々についての前記光量分布を測定するときに、同時に光出射状態としても各光出射エレメントの光量分布の裾部分の測定が可能な程度に離間したものをまとめて１つのグループとして光出射エレメントを複数のグループに区分し、そのグループ単位で光出射状態と光出射停止状態とを順次切換えるように構成され、且つ、測光ヘッドを前記光出射エレメントの配列方向に沿って移動させるように構成されると共に、前記グループ単位での光出射状態と光出射停止状態との切換えの切換え速度が、前記測光ヘッドが一つの光出射エレメントを通過する間に、前記グループの全てについての光出射状態と光出射停止状態との切換えが一巡するサイクルを多数回実行できる速度に設定されて構成されて、前記光出射エレメントの夫々について、光出射方向と交差する面内における光量分布を、その光量分布の裾部分を含む状態で測定するように構成されている。
【０００５】
すなわち、本発明の発明者による研究の結果、光出射エレメントの光出射光量の調整目標からのばらつきは、光出射方向と交差する面内における光量分布の裾部分の形状が光出射エレメント間でばらついていることが原因であり、前記光量分布の形状自体は各光出射エレメント間で共通しているとの考えに基づいて、単にピーク値付近の光量分布によってのみ調整したのでは、ばらつきを十分に低減できないことを突き止めた。
そこで、光出射エレメントの夫々の前記光量分布の裾部分を測定できる程度にまで、周囲の光出射エレメントからの光の混入を抑制することで、個々の光出射エレメントの特性を正確に把握して、その結果に基づいて前記露光駆動条件を調整することで、光出射エレメントの光出射光量の調整目標からのばらつきを可及的に抑制できるに至った。
【０００６】
又、光出射エレメントの夫々について、光出射方向と交差する面内における光量分布を、その光量分布の裾部分を含む状態で測定するには、例えば、各光出射エレメントを１つずつ順次に光出射状態として計測することによっても測定することが可能であるが、光出射エレメントを、同時に光出射状態としても各光出射エレメントの光量分布の裾部分の測定が可能な程度に離間したものをまとめて１つのグループとして、グループ単位で光出射状態と光出射停止状態とに順次切換えることで、測定手段による測定処理を迅速に行うことができる。
【０００７】
又、測光ヘッドを光出射エレメントの配列方向に沿って移動させて各光出射エレメントの光量分布を測定するように構成して、前記グループ単位での光出射状態と光出射停止状態との切換え速度を、測光ヘッドの移動速度よりも十分速い速度に設定することで、測光ヘッドの１回の走査で、各光出射エレメントの光量分布を測定することが可能となり、測定手段により測定処理をより一層高速化することができる。
【０００８】
上記請求項２記載の構成を備えることにより、前記測定手段による前記光出射エレメント夫々についての前記光量分布の測定結果に基づいて前記動作条件設定手段が前記各光出射エレメントの露光駆動条件を設定した後に、前記測定手段は、設定測定位置での検出光量に寄与し得る全ての光出射エレメントを光出射状態として前記光出射エレメントの光出射光量を測定するように構成され、前記動作条件設定手段は、その測定結果に基づいて各光出射エレメントの露光駆動条件を修正するように構成されている。
すなわち、上述のようにして個々の光出射エレメントの特性を正確に把握して各光出射エレメントの露光駆動条件を調整した後に、測定手段が実際に画像を露光する状態に近い状態で光出射エレメントを駆動して、その駆動状態での光出射光量測定結果に基づいて動作条件設定手段が微調整を行うことで、光出射エレメントの調整精度を更に向上させることができる。
【００１１】
又、上記請求項３記載の構成を備えることにより、前記光出射エレメントは、ＰＬＺＴ素子による光シャッタを備えて構成されている。
すなわち、ＰＬＺＴ素子による光シャッタを備えて構成される光出射エレメントでは、ある光出射エレメントの測光時に周囲の光出射エレメントの出射光が混入してしまうことが多く、上述のようにして、光出射エレメントの夫々の前記光量分布の裾部分を測定できる程度にまで、周囲の光出射エレメントからの光の混入を抑制し、個々の光出射エレメントの特性を正確に把握して、その結果に基づいて、動作条件設定手段が前記露光駆動条件を調整することが特に好適である。
【００１２】
【発明の実施の形態】
以下、本発明の画像露光装置を写真プリントシステムに適用した場合の実施の形態を図面に基づいて説明する。
本実施の形態で例示する写真プリントシステムＤＰは、いわゆるデジタルミニラボ機として知られているものであり、図５に外観を示すように、現像処理済みの写真フィルム１（以下、単に「フィルム１」と略称する）やメモリーカード，ＭＯあるいはＣＤ−Ｒ等から写真プリントを作製するための画像データを入力する画像入力装置ＩＲと、画像入力装置ＩＲにて入力した画像データを写真感光材料である印画紙２に露光処理する露光・現像装置ＥＰとから構成されている。
【００１３】
〔画像入力装置ＩＲの概略構成〕
画像入力装置ＩＲには、図４に概略的に示すように、フィルム１の駒画像を読み取るフィルムスキャナ３と、メモリーリーダ，ＭＯドライブ及びＣＤ−Ｒドライブ等を備えた外部入出力装置４と、汎用小型コンピュータシステムにて構成されてフィルムスキャナ３や外部入出力装置４の制御のほか写真プリントシステムＤＰ全体の管理を実行する主制御装置６とが備えられ、更に、主制御装置６には、仕上がりプリント画像をシミュレートしたシミュレート画像や各種の制御用の情報を表示するモニタ６ａと、露光条件の手動設定等や制御情報の入力操作をするための操作卓６ｂとが接続されている。
【００１４】
フィルムスキャナ３は、ハロゲンランプ１０と、ハロゲンランプ１０から出射した光の色バランスを調整するための調光フィルタ１１と、調光フィルタ１１を通過した光を均等に混色するミラートンネル１２と、搬送機構１３ａや図示を省略するフィルムマスク等が備えられてフィルム１を所定の読取り位置に位置させるフィルムマスクユニット１３と、フィルム１の駒画像を光電変換するためのＣＣＤラインセンサユニット１４と、フィルム１の画像をＣＣＤラインセンサユニット１４上に結像させるためのレンズ１５と、光路を９０度屈曲させるためのミラー１６と、ＣＣＤラインセンサユニット１４の出力信号を増幅及びＡ／Ｄ変換等する処理回路１７と、フィルムスキャナ３全体の制御を行う読取制御装置１８とが設けられている。
【００１５】
ＣＣＤラインセンサユニット１４は、約５０００個のＣＣＤ素子をフィルム１の幅方向に配列したＣＣＤラインセンサを３列に並べて備えており、各ＣＣＤラインセンサの受光面には夫々赤色、緑色、青色のカラーフィルタが形成されて、フィルム１の駒画像を色分解して検出する。
読取制御装置１８は、主制御装置６からの読取指令に基づいて、フィルムマスクユニット１３にセットされたフィルム１の搬送移動を開始させると共に、処理回路１７から出力されるそのフィルム１の駒画像の画像データを主制御装置６へ出力する。
【００１６】
〔露光・現像装置ＥＰの概略構成〕
露光・現像装置ＥＰは、筐体内部に、画像露光装置ＥＸと、画像露光装置ＥＸにて露光された印画紙２を現像処理する現像処理部２２と、現像処理部２２内の印画紙搬送系の制御や現像処理液の管理を行う現像制御装置２３と、露光・現像装置ＥＰ全体を制御するプリンタ制御装置２４と、筐体上面に配置された印画紙マガジン８から引き出された印画紙２を多数の搬送ローラ２５等にて現像処理部２２へ搬送する印画紙搬送系ＰＴとが設けられている。
【００１７】
露光・現像装置ＥＰの筐体外部には、現像処理部２２にて現像処理及び乾燥処理された印画紙２をオーダ毎に分類するためのソータ２６と、排出口２２ａから排出された印画紙２をソータ２６へ搬送するコンベア２７とが設けられている。更に、印画紙搬送系ＰＴの搬送経路の途中には、印画紙マガジン８から引き出された長尺の印画紙２を設定プリントサイズに切断するカッタ２８が備えられている。
【００１８】
〔画像露光装置ＥＸの構成〕
画像露光装置ＥＸは、ＰＬＺＴ光シャッタ方式を採用した露光ユニット２０と、露光ユニット２０を制御する露光制御装置２１とを主要部として構成されている。
露光ユニット２０は、図３に示すように、光源３０と、光源から出射された光から赤外線成分をカットする赤外線吸収フィルタ３１と、赤外線吸収フィルタ３１の通過光を所望の色バランスに調整する調光フィルタ３２と、集光レンズ３３と、赤色，緑色，青色の各カラーフィルタを周方向に配列して図示しないモータにて回転駆動される回転フィルタ３４と、集光レンズ３３にて集光された光を伝える光ファイバー束３５と、光ファイバー束３５の先端に接続された露光ヘッドＥＨとしてのＰＬＺＴプリントヘッド３６と、シャッタ制御回路３７とが備えられている。
【００１９】
ＰＬＺＴプリントヘッド３６には、図２にブロック図として示すように数百個程度のＰＬＺＴ素子４０をライン状に並べて１チップに集積したＰＬＺＴチップ４１を１０個程度配列し、数千個のＰＬＺＴ素子４０からなる露光ラインが備えられており、ＰＬＺＴ素子４０の並び方向がＰＬＺＴプリントヘッド３６の主走査方向となっている。但し、ＰＬＺＴ素子４０は主走査方向に単一の列を構成しているのではなく、図６（ｂ）にＰＬＺＴ光シャッタのシャッタ開口３６ａとして模式的に示すように、偶数番目のＰＬＺＴ素子４０（図中で「ＥＶＥＮ列」として示す）と奇数番目のＰＬＺＴ素子４０（図中で「ＯＤＤ列」として示す）とが主走査方向と直交する副走査方向に位置ずれした状態で配置されている。
このように配置された各ＰＬＺＴ素子４０の光路の両側には偏光板が配置され、更に、各ＰＬＺＴ素子の透過光を印画紙２上に結像するための微少レンズ群が備えられている。
各ＰＬＺＴ素子４０の夫々とこれら偏光板及び微少レンズ群等によって構成される光シャッタを備えて光出射エレメントＬＥが構成され、ＰＬＺＴプリントヘッド３６は、露光する画像データの画素に対応する光出射エレメントＬＥを前記主走査方向に配列して構成されている。
【００２０】
各ＰＬＺＴ素子４０夫々を駆動するシャッタ制御回路３７は、各ＰＬＺＴ素子４０の夫々に電源電圧を印加するか否かを切り替える半導体スイッチ４２を１チップに集積したスイッチアレイ回路４３と、各半導体スイッチ４２を開閉駆動する駆動回路４４とが備えられ、駆動回路４４によって各半導体スイッチ４２を開閉駆動することで、各ＰＬＺＴ素子４０に形成されている一対の電極にパルス電圧が印加される。この一対の電極に電圧が印加されるとＰＬＺＴ素子４０を通過した光が出射されて光出射状態となり、前記電極に電圧が印加されないと光の通過を遮断して光出射停止状態となる。
駆動回路４４は、露光制御装置２１から各画素のデジタル濃度データとしてプリントする画像の画像データを受け取ると、各画素のデータに応じたパルス幅のパルス電圧が、その画素に対応するＰＬＺＴ素子４０に印加されるように、各半導体スイッチ４２を駆動する。
【００２１】
〔画像露光装置ＥＸの調整〕
次に、上記構成の画像露光装置ＥＸの調整について説明する。
ここで説明する画像露光装置ＥＸの調整は、個々の光出射エレメントＬＥの光出射光量のばらつきを補正するためのものである。
この調整のために、画像露光装置ＥＸには、光出射エレメントＬＥの光出射光量を測定する測定手段ＬＭとして図１に示す測光装置５０が備えられ、測定手段ＬＭの一部として機能すると共に、測光装置５０の測定結果に基づいて各光出射エレメントＬＥの露光駆動条件を設定する動作条件設定手段ＯＣとしても機能する測光制御装置５１が備えられている。ここで、本実施の形態では、受け取った各画素のデジタル画像データをＰＬＺＴ素子４０に印加するパルス電圧のパルス幅に変換するときの変換比率を露光駆動条件としており、光出射光量が調整目標の標準値より大きい光出射エレメントＬＥについては前記標準値からの偏差に応じてこの変換比率を小さくし、光出射光量が前記標準値より小さい光出射エレメントＬＥについては前記標準値からの偏差に応じてこの変換比率を大きくする。
【００２２】
測光装置５０は、光出射エレメントＬＥの光出射光量を測定するための測光ヘッド６０と、その測光ヘッド６０を光出射エレメントＬＥの配列方向（主走査方向）に移動させるための移動手段としてボールネジ式の一軸駆動装置６１とを主要部として構成され、画像露光装置ＥＸの調整時にＰＬＺＴプリントヘッド３６に対向する位置に図示を省略する機構によってセットされる。
測光ヘッド６０に備えられた光センサ６０ａの受光面上には光の入射範囲を規制するためのスリットが取り付けられており、調整時にはこのスリットがＰＬＺＴプリントヘッド３６の微少レンズ群の結像位置（印画紙２の通過位置）に位置するように配置される。このスリットは光出射エレメントＬＥに対して図６（ｂ）において１点鎖線Ｌで示すような位置関係となる。
一軸駆動装置６１は、モータ６１ａがネジ軸６１ｂを回転駆動することで、移動ステージ６１ｃに取り付けられた測光ヘッド６０を前記主走査方向に移動させる。
【００２３】
以下、測光制御装置５１の制御による露光ヘッドＥＨの調整動作を概略的に説明する。
測光制御装置５１による基本的な処理は、光出射エレメントＬＥの夫々について、光出射方向と交差する面内における光量分布を、その光量分布の裾部分を含む状態で測定し、測定した光量分布に基づいて光出射エレメントＬＥの露光駆動条件を設定する。
【００２４】
各光出射エレメントＬＥ夫々についての前記光量分布の裾部分を測定するためには、測定の対象となる光出射エレメントＬＥ以外の光出射エレメントＬＥからの光の混入を十分に抑制する必要があり、このため、測光制御装置５１は、全ての光出射エレメントＬＥを同時に光出射状態に設定するのではなく、光出射エレメントＬＥを４つのグループに区分して、そのグループ単位で光出射状態と光出射停止状態とに順次切換える。
このグループの構成は、図６（ｂ）において「Ｇ１」，「Ｇ２」，「Ｇ３」，「Ｇ４」として示すものであり、グループ「Ｇ１」は「ＥＶＥＮ列」の中での奇数番目の光出射エレメントＬＥからなり、グループ「Ｇ２」は「ＥＶＥＮ列」の中での偶数番目の光出射エレメントＬＥからなり、グループ「Ｇ３」は「ＯＤＤ列」の中での奇数番目の光出射エレメントＬＥからなり、グループ「Ｇ４」は「ＯＤＤ列」の中での偶数番目の光出射エレメントＬＥからなる。
【００２５】
測光制御装置５１は、前記グループ単位での光出射状態と光出射停止状態との切換えのための調整用画像データを記憶しており、調整用画像データの各画素のデータを各光出射エレメントＬＥを光出射状態と光出射停止状態とに切換えるスイッチとして利用している。このスイッチの「ＯＮ」時のデータは何れも共通であり、調整用画像データは２値画像を構成している。
この調整用画像データによってＰＬＺＴプリントヘッド３６を露光作動させることで、グループ「Ｇ１」の光出射エレメントＬＥのみを光出射状態とする状態、グループ「Ｇ２」の光出射エレメントＬＥのみを光出射状態とする状態、グループ「Ｇ３」の光出射エレメントＬＥのみを光出射状態とする状態、グループ「Ｇ４」の光出射エレメントＬＥのみを光出射状態とする状態、及び、全てのグループを光出射停止状態とする状態の各状態に順次に切り替わる。
【００２６】
従って、前記グループ単位での光出射状態と光出射停止状態との切換えの切換え速度は極めて高速となり、測光装置５０の測光ヘッド６０が一つの光出射エレメントＬＥを通過する間に、前記グループの全てについての光出射状態と光出射停止状態との切換えが一巡するサイクルを多数回実行でき、測光ヘッド６０を一端側から他端側へ１回走査するだけで全ての光出射エレメントＬＥについての光量分布の測定を終了できるようにしてある。
【００２７】
以下、測光装置５０及び測光制御装置５１による光出射エレメントＬＥの露光駆動条件の補正処理を図７及び図８のフローチャートに基づいて説明する。尚、この処理は、工場出荷時及び装置設置時に実行されると共に装置稼働開始後においては定期的に実行される。
先ず、測光装置５０を所定の測定位置に位置させた状態でＰＬＺＴプリントヘッド３６に前記調整用画像データによる露光作動を開始させ（ステップ＃１）、測光ヘッド６０を一端側の初期位置に位置させた後に他端側への移動を開始させる（ステップ＃２）。
測光ヘッド６０が主走査方向に沿って多数設定された測定位置に到達すると（ステップ＃３）、モータ６１ａの駆動操作量によって求める測光ヘッド６０の位置情報と共に少なくとも前記各グループ単位の切換えが１サイクルする期間の測光ヘッド６０の出力をＡ／Ｄ変換してデータを取り込む（ステップ＃４）。但し、ここでのデータの取り込みは、１画素の露光に相当する光パルスを時間積分するのと等価な状態で取り込んでいる。
【００２８】
測光ヘッド６０が終端に達するまで所定の測定位置での測光を繰り返し、終端に達すると（ステップ＃５）、前記調整用画像データによる露光作動を停止する（ステップ＃６）。
測光制御装置５１は、上述のようにして収集したデータを整理して、図６（ａ）に測定例を示すような各グループ毎の光量分布を求めて、各光出射エレメントＬＥ毎の光出射光量を演算する（ステップ＃７）。
図６（ａ）では、グループ「Ｇ１」のみを光出射状態としたときの光量分布を実線Ｌ１で、グループ「Ｇ２」のみを光出射状態としたときの光量分布を２点鎖線Ｌ２で、グループ「Ｇ３」のみを光出射状態としたときの光量分布を１点鎖線Ｌ３で、グループ「Ｇ４」のみを光出射状態としたときの光量分布を破線Ｌ４で夫々示し、更に、全ての光出射エレメントＬＥを光出射停止状態としたときの測定値を実線ＧＬで示しており、主走査方向での位置関係を図６（ｂ）と対応させている。
図６（ａ）の測定例では、光量分布を正確に示すために主走査方向の測定位置の間隔を非常に短く設定して測定した場合を例示しているが、実際には、測定位置の数をもっと少なくしても実用上は十分である。
【００２９】
図６（ａ）の測定例から明らかなように、上記のようにグループ単位で光出射状態と光出射停止状態とを切換えることで、光出射エレメントＬＥの夫々について、光出射方向と交差する面内における光量分布を、その光量分布の裾部分を含む状態で測定できるものとなっている。尚、厳密には、実線ＧＬとの対比からわかるように、光量分布の裾部分の下端では他の光出射エレメントＬＥからの光が混入しているが、十分に値の小さい領域であるので実用上は問題とはならない。図６（ａ）の特性から、各光出射エレメントＬＥの光出射光量を演算するについては、光量分布の谷から次ぎの谷までの間を積分した値を各光出射エレメントＬＥの光出射光量として求める。
【００３０】
各光出射エレメントＬＥ夫々の光出射光量を求めた後、各光出射エレメントＬＥについて、調整目標である標準の光出射光量との偏差に応じた補正量で、前記露光駆動条件すなわち各画素のデジタル画像データをＰＬＺＴ素子４０に印加するパルス電圧のパルス幅に変換するときの各光出射エレメント毎の変換比率を補正し（ステップ＃８）、各光出射エレメントＬＥの光出射光量が均一となるようにする。
この後、前記調整用画像データに替えて、全ての光出射エレメントＬＥを光出射状態とするべく全ての画素データが同一値を有する画像データにてＰＬＺＴプリントヘッド３６を露光作動させ（ステップ＃９）、再び、所定の測定位置で上記と同様の測光を行いながら測光ヘッド６０を移動させる（ステップ＃１０〜＃１３）。尚、この時点の測定では、設定測定位置に位置する測光ヘッド６０の検出光量に寄与し得る全ての光出射エレメントＬＥを光出射状態とすれば足り、必ずしも全光出射エレメントＬＥを光出射状態とする必要はないが、全光出射エレメントＬＥを光出射状態とすることで測光制御を簡略化できる。
全ての測定位置での測光を終了すると（ステップ＃１３）、ＰＬＺＴプリントヘッド３６の露光作動を停止させ（ステップ＃１４）、上述のグループ単位での切換えの場合と同様のデータ処理を行って、図６（ａ）において実線ＳＬで示す特性を得る（ステップ＃１５）。この実線ＳＬも主走査方向の位置関係を図６（ｂ）と対応させてある。
実線ＳＬで示す特性が得られると、実線Ｌ１，２点鎖線Ｌ２，１点鎖線Ｌ３及び破線Ｌ４の特性のピーク位置との対比によって、あるいは、測光ヘッド６０の位置情報との対比によって、実線ＳＬにおける各光出射エレメントＬＥの中心位置に対応するデータを特定し、例えば実線ＳＬのデータの平均値等を調整目標の標準のデータとして、特定したデータと標準のデータとの偏差に応じて、光出射エレメントＬＥ毎の前記変換比率を補正（修正）する（ステップ＃１６）。
【００３１】
〔写真プリントの作製動作〕
次に、上記構成の写真プリントシステムＤＰによる写真プリントの作製動作を概略的に説明する。
操作者がフィルム１の駒画像について写真プリントの作製を指示入力したときは、主制御装置６は、フィルムスキャナ３に対してフィルム１の読み取りを指令し、読取制御装置１８からそのフィルム１の画像データを順次受取って、内蔵されているメモリに記録する。
一方、操作者がメモリーカード，ＭＯあるいはＣＤ−Ｒ等の記録媒体に記録された画像データについて写真プリントの作製を指示入力したときは、主制御装置６は、外部入出力装置４の該当するドライブに画像データの読み取りを指令し、そのドライブから画像データを順次受取って、メモリに記録する。
【００３２】
主制御装置６は、上記のようにして入力された画像データに基づいて、その画像データによってプリントを作製した場合に得られるであろうシミュレート画像を図示を省略する画像処理回路にて演算して求め、それをモニタ６ａに表示する。
操作者は、このモニタ６ａ上のシミュレート画像を観察して、適正な画像が得られていなければ、操作卓６ｂから露光条件の修正入力操作を行う。
主制御装置６の画像処理回路は、入力された画像データとその修正入力とに従って予め設定された演算条件で赤色、緑色、青色毎の露光用画像データを生成する。
【００３３】
この露光用画像データは、露光・現像装置ＥＰのプリンタ制御装置２４に送られ、プリンタ制御装置２４に備えられているメモリに記憶される。
プリンタ制御装置２４は、印画紙搬送系ＰＴから得られる印画紙２の搬送情報に基づいて、印画紙２の前端が所定の露光開始位置まで搬送されて来たことを検知すると、露光制御装置２１に対して露光作動の開始を指令すると共に、露光ユニット２０の露光処理スピードに対応した速度で露光用画像データを露光制御装置２１へ順次送信する。
露光制御装置２１は、受け取った露光用画像データに基づいてＰＬＺＴプリントヘッド３６の各光シャッタを作動させて印画紙２にプリント画像の潜像を形成する。
露光ユニット２０にて露光処理された印画紙２は、印画紙搬送系ＰＴにて現像処理部２２へ搬送されて、各現像処理タンクを順次通過することにより現像され、現像処理された印画紙２は、更に乾燥処理された後に排出口２２ａからコンベア２７上に排出され、ソータ２６にてオーダー毎にまとめられる。
【００３４】
〔別実施形態〕
以下、本発明の別実施形態を列記する。
（１）上記実施の形態では、光出射エレメントＬＥを、「ＥＶＥＮ列」の偶数番目の光出射エレメントＬＥ、「ＥＶＥＮ列」の奇数番目の光出射エレメントＬＥ、「ＯＤＤ列」の偶数番目の光出射エレメントＬＥ及び「ＯＤＤ列」の奇数番目の光出射エレメントＬＥの４つのグループに区分してグループ単位で光出射状態と光出射停止状態とに切換えているが、同時に光出射状態となる光出射エレメントＬＥが更に離間するようにグループを構成しても良いし、グループの数を更に増やしても良い。
【００３５】
（２）上記実施の形態では、測光ヘッド６０に光センサ６０ａを備える場合を例示しているが、例えば、測光ヘッド６０に光ファイバの光入射端を固定し、その光ファイバの光出射端を測光制御装置５１に固定して、受光センサを測光制御装置５１内に配置する等、測光ヘッド６０の具体構成は種々変更可能である。
（３）上記実施の形態では、光出射エレメントＬＥは「ＥＶＥＮ列」と「ＯＤＤ列」とで画像データの一列分を露光するように配置構成されているが、複数列分の画像データを露光できるように光出射エレメントＬＥを構成しても良い。
【００３６】
（４）上記実施の形態では、ＰＬＺＴ光シャッタ方式の露光ヘッドＥＨを例示しているが、液晶シャッタ方式や、あるいは、各種の発光素子にて光出射エレメントＬＥを構成する等、露光ヘッドＥＨの具体構成は種々変更可能である。
（５）上記実施の形態では、受け取った各画素のデジタル画像データをＰＬＺＴ素子４０に印加するパルス電圧のパルス幅に変換するときの変換比率を光出射エレメントＬＥの露光駆動条件として取り扱っているために、光出射エレメントＬＥの光出射光量の測定にあたっては、受けた光強度の積分として光出射光量を検出しているが、前記露光駆動条件が光出射エレメントＬＥの出射光の光強度を直接的に変化させるものであれば、受けた光の光強度そのものを光出射光量として検出できる。
【発明の効果】
上記請求項１記載の構成によれば、画像露光装置に備えられた測定手段による測定を、光出射エレメントの夫々の前記光量分布の裾部分を測定できる程度にまで、周囲の光出射エレメントからの光の混入を抑制し、個々の光出射エレメントの特性を正確に把握して、その結果に基づいて、動作条件設定手段が前記露光駆動条件を調整することで、光出射エレメントの光出射光量の調整目標からのばらつきを可及的に抑制できるに至った。
又、光出射エレメントの夫々について、光出射方向と交差する面内における光量分布を、その光量分布の裾部分を含む状態で測定するには、例えば、各光出射エレメントを１つずつ順次に光出射状態として計測することによっても測定することが可能であるが、光出射エレメントを、同時に光出射状態としても各光出射エレメントの光量分布の裾部分の測定が可能な程度に離間したものをまとめて１つのグループとして、グループ単位で光出射状態と光出射停止状態とに順次切換えることで、測定手段による測定処理を迅速に行うことができる。
更に、測光ヘッドを光出射エレメントの配列方向に沿って移動させて各光出射エレメントの光量分布を測定するように構成して、前記グループ単位での光出射状態と光出射停止状態との切換え速度を、測光ヘッドの移動速度よりも十分速い速度に設定することで、測光ヘッドの１回の走査で、各光出射エレメントの光量分布を測定することが可能となり、測定手段により測定処理をより一層高速化することができる。
【００３７】
又、上記請求項２記載の構成によれば、個々の光出射エレメントの特性を正確に把握して各光出射エレメントの露光駆動条件を調整した後に、測定手段が実際に画像を露光する状態に近い状態で光出射エレメントを駆動して、その駆動状態での光出射光量測定結果に基づいて動作条件設定手段が最終的な微調整を行うことで、光出射エレメントの調整精度を更に向上させることができる。
【００３９】
又、上記請求項３記載の構成によれば、ＰＬＺＴ素子による光シャッタを備えて構成される光出射エレメントでは、ある光出射エレメントの測光時に周囲の光出射エレメントの出射光が混入してしまうことが多く、上述のようにして、光出射エレメントの夫々の前記光量分布の裾部分を測定できる程度にまで、周囲の光出射エレメントからの光の混入を抑制し、個々の光出射エレメントの特性を正確に把握して、その結果に基づいて、動作条件設定手段が前記露光駆動条件を調整することが特に好適である。
【図面の簡単な説明】
【図１】本発明の実施の形態にかかる平面視による要部拡大図
【図２】本発明の実施の形態にかかる露光ヘッドのブロック構成図
【図３】本発明の実施の形態にかかる露光ユニットの概略構成図
【図４】本発明の実施の形態にかかる写真プリントシステムのブロック構成図
【図５】本発明の実施の形態にかかる写真プリントシステムの外観斜視図
【図６】（ａ）光量分布測定例  （ｂ）光出射エレメントの配置説明図
【図７】本発明の実施の形態にかかるフローチャート
【図８】本発明の実施の形態にかかるフローチャート
【符号の説明】
ＥＨ  露光ヘッド
ＬＥ  光出射エレメント
ＬＭ  測定手段
ＯＣ  動作条件設定手段
６０  測光ヘッド
【図１】
0003925693.tif 000002
【図２】
0003925693.tif 000003
【図３】
0003925693.tif 000004
【図４】
0003925693.tif 000005
【図５】
0003925693.tif 000006
【図６】
0003925693.tif 000007
【図７】
0003925693.tif 000008
【図８】
0003925693.tif 000009